(57)【要約】      （修正有）【課題】個々の視聴者の特性に応じた詳細な広告情報の表示に適した表示システムを提供する。【解決手段】表示システムは、制御部１、カメラ２ａ、２ｂ、表示装置３ａ、３ｂ、３ｃ、記憶装置４からなる。表示装置３ａ〜３ｃは、エスカレータの側方に配置され、視聴者の進行方向に沿って３ａ、３ｂ、３ｃの順に配置される。例えば、表示装置３ａの前方に人間が存在し、かつそれが女性であると判断したときは、女性向けの広告情報を表示装置３ｂに表示させる。【選択図】図１
2011027977.tif 000002
【特許請求の範囲】
【請求項１】
第１表示装置と、
第１表示装置に対し視聴者の進行方向側に設置される第２表示装置と、
第１表示装置の前方を撮影する撮影部と、を備え、
第２表示装置は、前記撮影部で撮影した画像から得られる視聴者の特徴に応じた広告又は報知情報を表示する表示システム。
【発明の詳細な説明】
【技術分野】
【０００１】
本発明は、第１表示装置と、第１表示装置に対し視聴者の進行方向側に設置される第２表示装置を含み、個々の視聴者の特性に応じた広告情報の表示に適した表示システムに関する。
【背景技術】
【０００２】
近年、屋外、或いは空港や駅などに配置され、広告を表示する大型スクリーンを備えた表示装置が増加している（例えば特許文献１）。
【特許文献１】特開2004-157499
【発明の開示】
【発明が解決しようとする課題】
【０００３】
上記のような表示装置を用いて、広告主は複数のターゲットに対して広告を配信したいと考える場合がある。例えば、化粧品メーカは、女性をターゲットにした広告と男性をターゲットにした広告を表示装置により行いたいと考える場合がある。しかし、１枚の表示画面で男性用と女性用の化粧品の両方を表示するのはスペース的な制約から表示項目が限定され、十分な広告表示ができない。
【０００４】
これを解決するため、図３のように女性用と男性用の広告を一定時間ごとに入れ替えて表示する表示装置がある。即ち、一定時間女性化粧品の広告表示を行ない、次に一定時間男性化粧品の広告表示をさせる。これにより、両方の広告を広告効果のある人目につきやすい場所で表示できる。
【０００５】
上記広告表示装置では、人目につきやすい場所に設置することで、１つの広告塔により多くの人に広告を視聴してもらえる利点がある。しかし、個々の視聴者の特性に応じた詳細な広告情報の表示には適していない。
【０００６】
そこで、本発明は、個々の視聴者の特性に応じた詳細な広告情報の表示に適した表示システムを提供することを目的とする。
【課題を解決するための手段】
【０００７】
本発明の表示システムは、第１表示装置と、第１表示装置に対し視聴者の進行方向側に設置される第２表示装置と、第１表示装置の前方を撮影する撮影部と、を備え、第２表示装置は、前記撮影部で撮影した画像から得られる視聴者の特徴に応じた広告又は報知情報を表示することを特徴とする。
【発明の効果】
【０００８】
本発明によれば、個々の視聴者の特性に応じた詳細な広告情報を提供することができる。また、システムの動作回数を用いることで広告の注目度を測定することができる。
【発明を実施するための最良の形態】
【０００９】
図１は、本発明の表示システムの構成を示す図である。
【００１０】
本発明の表示システムは、制御部１、カメラ２ａ、２ｂ、表示装置３ａ、３ｂ、３ｃ、記憶装置４からなる。表示装置３ａ〜３ｃは、エスカレータの側方に配置され、視聴者の進行方向に沿って３ａ、３ｂ、３ｃの順に配置される。即ち３ａは最も手前に配置され、３ｃは最も後方（換言すれば、奥、或いは先方）に配置される。
【００１１】
また、カメラ２ａは、表示装置３ａの近辺に配置され、表示装置３ａの前方を撮影する。即ち、表示装置３ａを視聴する視聴者を撮影する。カメラ２ｂは、表示装置３ｂの近辺に配置され、表示装置３ｂの前方、即ち、表示装置３ｂを視聴する視聴者の画像を撮影する。
【００１２】
制御部１は、表示システム全体を制御し、ＣＰＵ１１、画像生成部１２、インタフェース１３、メモリ１４などで構成される。
【００１３】
ＣＰＵ１１は、例えば、表示装置３ａを視聴する視聴者が写るように表示装置３ａの表示部前面をカメラ２ａで撮影する。撮影した画像はインタフェース１３を介してＣＰＵ１１へ入力され、このＣＰＵ１１と図示しない画像解析手段により撮影画像の解析が行なわれる。具体的には、視聴者の有無、顔の向き、性別、年齢、などが解析される。或いは視聴者がやせ型か、肥満型を解析するものでも良い。
【００１４】
なお、画像解析手段による画像解析の手段としては様々な周知技術が存在するため、本明細書では詳述しない。
【００１５】
図２は、３つの表示装置３ａ〜３ｃを用いた広告表示の例を示すものである。これは、男性用と女性用の広告を行なう場合の例であり、ここでは便宜的に女性像と男性像として表示する。また、同図において、異なる映像は広告の内容が異なることを意味するものとする。或いは広告の詳細度レベルが異なることを意味するものとする。
【００１６】
なお、広告情報は記憶装置４に記憶されており、予め決められたスケジュールに併せてＨＤＤなどの記憶装置４から読み出され、メモリ１４へ格納される。そして画像生成部１２を介して各表示装置２へ出力される。
【００１７】
最も手前に配置される表示装置３ａは、一般的な広告を表示する。即ち、視聴者を特定しない広告、男性、女性の両方に関係する共通の広告が表示される。
【００１８】
カメラ２ａは、表示装置３ａの表示面の前方を撮影する。ＣＰＵ１１は、カメラ２ａで撮影された画像を解析する。例えば表示装置３ａの前方に人間が存在し、かつそれが女性であると判断したときは、記憶装置４から女性向けの広告情報を読み出して、表示装置３ｂに表示させる。
【００１９】
表示装置３ａ〜３ｃがエスカレータ側方に配置されるので、視聴者である女性が表示装置３ｂの前を通過する頃には、女性向けの広告が表示装置３ｂに表示されることになるのである。そして更に前方に配置される表示装置３ｃには、更に詳細な女性向け広告が表示される。
【００２０】
同様に、表示装置３ａの前方に人間が存在し、かつそれが男性であると判断したときは、記憶装置４から男性向けの広告情報を読み出して、表示装置３ｂに表示させる。そして、表示装置３ｃには、更に詳細な男性向け広告が表示される。
【００２１】
上記において、性別の判断は、例えば顔認識画像処理により行なわれる。また、表示装置３ａの前方に人物が存在し、かつその人物が表示装置３ａに注目していると認められるときにのみ、性別の判断を行ったり、表示装置３ｂに女性向け広告等を表示したりしても良い。
【００２２】
なお、画像解析を効果的に実行するために、カメラのズーム機能を用いて視聴者を一定の大きさで捕捉するようにしたり、パン・チルト機能を有するカメラを用いて広い範囲で視聴者を捕捉するようにしたりしても良い。
【００２３】
性別判断結果に基づいて表示装置３ｂ以降で、男性用、女性用の広告を表示させる他、年齢判断結果に基づいて表示装置３ｂ以降で、年齢層に応じた広告を表示させたり、服装解析結果に基づいて表示装置３ｂ以降で、視聴者の個性に応じた広告を表示させたりしても良い。
【００２４】
単に表示装置３ａの側方を通過する人物の有無だけではなく、更にその表示装置３ａに表示された広告情報を注視していると認められたとき、表示装置３ｂ以降でその詳細な広告情報を表示するようにしても良い。
【００２５】
表示装置３ｂ以降では、表示装置３ａに表示された広告情報の続編を表示するようにしても良い。これにより広告にストリー性を持たせることができ、視聴者（広告ターゲット）に対し深い印象を与えることができる。
【００２６】
表示装置３ａの側方をエスカレータで通過する人物がいない場合や、表示装置３ａの側方を通過しても表示装置３ａの広告情報を注視していない場合は、表示装置３ａ〜３ｃは全く同じ広告情報を表示しても良い。
【００２７】
表示装置３ａの側方を女性が通過したと判断し、表示装置３ｂに女性用の広告を表示させた場合において、その女性が表示装置３ｂを注視していない場合は、表示装置３ｃは、表示装置３ｂと同じ広告を表示しても良い。或いは表示装置３ａと同じ広告（性別を問わない一般的な広告情報）。
【００２８】
ＣＰＵ１１は、表示装置３ａ〜３ｃの側方を通過する人物の数、或いはこれらに表示される広告情報を注視する人物の数を計数するようにしても良い。これにより、広告に関する関心度を測定することができる。
【００２９】
表示装置３ａ〜３ｃは、エスカレータの側方に代えて、動く歩道（いわゆる、ムービングウォーク等と呼ばれるもの）や、通常の通路、廊下、道路の側方に配置されるものでも良い。或いは、通路やムービングウォークなどの上方に配置されるものでも良い。
【００３０】
カメラ２ａ、２ｂは、それぞれ表示装置３ａ、３ｂに組み込まれているものであっても良い。
【００３１】
ＣＰＵ１１は、表示装置３ａ〜３ｃの側方を通過する人物の数、或いはこれらに表示される広告情報を注視する人物の数を計数するようにしても良い。これにより、広告に関する関心度を測定することができる。
【００３２】
エスカレータの混雑度が著しい場合、例えばエスカレータの各段に人が存在する場合、表示装置の視聴者を一人だけ特定するのは困難である。この場合、各表示装置は一般的な広告情報を表示しても良い。或いは視聴していると考えられる複数の人物を特定し、例えば女性の数の方が多ければ女性向け広告を、男性の数の方が多ければ男性向け広告を表示しても良い。或いは、男性と女性が同数であれば、１つの表示装置の表示部に女性向け、男性向け両方の広告を表示させても良い（例えば、上半分に男性向け、下半分に女性向け）。
【００３３】
ＣＰＵ１１は、表示装置３ａ〜３ｃの側方を通過する人物の数、或いはこれらに表示される広告情報を注視する人物の数を計数するようにしても良い。これにより、広告に関する関心度を測定することができる。
【００３４】
更には、視聴した人の種別（男性・女性、老人・子供）だけでなく、視聴した時間も記録するようにしても良い。これにより、広告主は、視聴者の種別と時間との関連性も知ることができる。例えば、朝は男性が多く、昼は女性が多いといった情報は広告主のマーケティング戦略や広告戦略等に生かすことができると考えられる。
【００３５】
様々な広告情報を記憶する記憶装置４は、図示しない外部サーバからネットワークにより定期的に広告情報が配信されるものでも良い。
【００３６】
各表示装置は広告情報だけでなく報知情報を表示するものであっても良い。例えば、表示装置３ａの側方を通過するのが子供であり、その時刻が夜である場合は、表示装置３ｂは、子供に早く帰宅を促すようなメッセージを表示しても良い。
【００３７】
以上、実施例を用いて、本発明の例を説明した。なお、これらの実施例は特許請求の範囲に記載の発明を限定し、或は範囲を減縮する様に解すべきではなく、また、本発明の各部構成は上記実施例に限らず、特許請求の範囲に記載の技術的範囲内で種々の変形が可能であることは勿論である。
【図面の簡単な説明】
【００３８】
【図１】本発明の表示システムの構成を示す図である。
【図２】３つの表示装置３ａ〜３ｃを用いた広告表示の例を示すものである。
【図３】従来の表示装置の例である。
【符号の説明】
【００３９】
１  制御部
２  カメラ
３  表示装置
４  記憶装置
【図１】
2011027977.tif 000003
【図２】
2011027977.tif 000004
【図３】
2011027977.tif 000005